(57)【要約】【課題】  ネズミ等の小動物の捕獲率が高く、且つ、誤作動や作動不良が生じにくい粘着捕獲具を提供すること。【解決手段】  二つ折りとなる基板１２の上面に粘着剤層１３が設けられている粘着捕獲具１において、基板１２の下辺１２ａの左側面部１５と右側面部１６の部分には弾性体係合部１０ａ，１０ｂが設けられており、上辺１２ｂの左側面部１５と右側面部１６の部分には弾性体係合部１０ｃ，１０ｄが設けられている。弾性体係合部１０ａと弾性体係合部１０ｂとは、弾性体９ａで連絡されており、弾性体９ａは、下辺１２ａ上の交点Ｘ及び交点Ｙよりも外側を通っている。弾性体係合部１０ｃと弾性体係合部１０ｄとは、弾性体９ｂで連絡されており、弾性体９ｂは、上辺１２ｂ上の交点Ｚ及び交点Ｗよりも外側を通っている。【選択図】  図１
2004147644.tif 000002
【特許請求の範囲】
【請求項１】
基板の上面に粘着剤層が設けられている小動物用の粘着捕獲具であって、
前記基板は、小動物が接触した際に前記粘着剤層を内側として二つ折りとなるように形成された少なくとも１つのヒンジ部により複数の捕獲面に分けられており、前記複数の捕獲面のうちの少なくとも１つの捕獲面の外縁部に設けられた弾性体係合部と、該捕獲面に前記ヒンジ部を介して隣接する他の捕獲面の外縁部に設けられた弾性体係合部とを連絡する少なくとも１つの弾性体を備えており、
前記弾性体は、前記基板を平面状に設置した際に、該弾性体が係合した弾性体係合部を有する捕獲面の外周と前記ヒンジ部との交点よりも外側を通るようになっていることを特徴とする粘着捕獲具。
【請求項２】
前記弾性体がゴム部材であることを特徴とする請求項１記載の粘着捕獲具。
【請求項３】
前記基板の、少なくとも１つの前記捕獲面の下面側に脚部が設けられていることを特徴とする請求項１又は２記載の粘着捕獲具。
【発明の詳細な説明】
【技術分野】
【０００１】
本発明は、ネズミなどの小動物を捕獲するための粘着捕獲具に関する。
【背景技術】
【０００２】
従来から、ネズミなどの小動物を捕獲するために、基板上に粘着層を形成した粘着捕獲具が用いられている。この粘着捕獲具は、粘着層を上向きにして配置され、その上を小動物が通過する際に粘着層が足などに粘着して小動物を捕獲するというものである。
しかし、ネズミなどの小動物の手足には、埃や油分などが付着していることが多い。埃や油分は、粘着層の小動物への粘着を妨げてしまうため、小動物への粘着層の粘着が十分でない場合がある。また、ネズミなどの脚力は意外に強いので、粘着した粘着層を引き剥して脱出することもある。そのため、従来の粘着捕獲具では小動物を捕獲できないことが多かった。
【０００３】
捕獲率を上げるために、様々な粘着捕獲具が提案されている。例えば、特許文献１、２などには、方形状の板紙の上面に粘着剤を塗布してなる粘着捕獲具が提案されている。この粘着捕獲具は、床の上などに置いておくと、ネズミがその上を通ってその体の一部がこの粘着剤部分に接触した際に、ネズミが粘着捕獲具から脱出しようとしてもがくことによって粘着剤があちこちに付着し、動きがとれなくなることを期待したものである。
【特許文献１】実開昭６２−１３０４８７号公報
【特許文献２】実開平５−９１３６６号公報
【発明の開示】
【発明が解決しようとする課題】
【０００４】
しかしながら、このような粘着捕獲具の場合においても、上述のように小動物の手足に埃や水や油分などが付着している場合には、粘着剤がほとんど付着せずに逃げられてしまうことが多く、また、小動物が粘着捕獲具の末端付近を通過した場合などでは、そのまま逃げられてしまうことも多かった。
【０００５】
本発明は、以上のとおりの事情に鑑みてなされたものであり、ネズミ等の小動物がその上を通過する際の刺激によって容易に二つ折り状態となり、小動物の手足以外の部位に粘着剤を付着させることによって高い捕獲率を達成することができる粘着捕獲具を提供することを目的としている。
【課題を解決するための手段】
【０００６】
前記課題を解決する本発明は、基板の上面に粘着剤層が設けられている小動物用の粘着捕獲具であって、
前記基板は、小動物が接触した際に前記粘着剤層を内側として二つ折りとなるように形成された少なくとも１つのヒンジ部により複数の捕獲面に分けられており、前記複数の捕獲面のうちの少なくとも１つの捕獲面の外縁部に設けられた弾性体係合部と、該捕獲面に前記ヒンジ部を介して隣接する他の捕獲面の外縁部に設けられた弾性体係合部とを連絡する少なくとも１つの弾性体を備えており、
前記弾性体は、前記基板を平面状に設置した際に、該弾性体が係合した弾性体係合部を有する捕獲面の外周と前記ヒンジ部との交点よりも外側を通るようになっていることを特徴とする粘着捕獲具である。
【０００７】
本発明においては、ヒンジ部により複数の捕獲面に分けられた基板の外縁部の、異なる捕獲面の部分に少なくとも２つの弾性体係合部を設け、該弾性体係合部同士を、弾性体で連絡していることにより、ネズミ等の小動物が粘着剤層に接触した際には、容易に二つ折り状態となり、高い捕獲率を達成することができる。その一方で、静置された状態や、場所を移動させるなどの、粘着剤層以外の部分にわずかな刺激がかけられた場合には、二つ折りになることなく平面状態が維持される。すなわち、誤作動が少なくなっている。
また、前記弾性体が、前記基板を平面状に設置した際に、該弾性体が係合した弾性体係合部を有する捕獲面の外周と前記ヒンジ部との交点よりも外側を通るようになっていることにより、基板が二つ折りになるのを、該弾性体が妨げることがない。すなわち、作動不良が起こりにくくなっている。
【０００８】
なお、弾性体係合部が「捕獲面の外縁部に設けられた」とは、基板の外周のうち、当該捕獲面の部分（捕獲面の外周）上に、あるいは、該捕獲面の外周よりも、本発明の効果を損なわない範囲で外側または内側に、弾性体係合部が設けられていることを意味する。例えば、弾性体係合部は、捕獲面の外周上に、該外周から突出した形状であってもよく、また、捕獲面の外周よりも内側に、例えば外周からの切り込みの形であってもよく、また、捕獲面の外周よりも内側に開けられた孔であってもよい。
【０００９】
前記粘着捕獲具においては、安価である、錆びない、軽い、入手しやすい等の理由から、前記弾性体がゴム部材であることが好ましい。
【００１０】
また、前記粘着捕獲具の好ましい実施形態としては、前記基板の、少なくとも１つの前記捕獲面の下面側に脚部が設けられていることが好ましい。
これによって、粘着捕獲具を、前記ヒンジ部が床面から浮いた状態で設置できる。また、脚部がてこの支点として働くので、脚部間に小動物が接触した際に、該基板が、ヒンジ部を底辺とする谷型になるため、より二つ折り状態になりやすくなっている。
【発明の効果】
【００１１】
本発明の粘着捕獲具は、ネズミ等の小動物の捕獲率が高く、且つ、誤作動や作動不良が生じにくいものである。
【発明を実施するための最良の形態】
【００１２】
以下、本発明の実施の形態を図面を用いて説明する。
＜第１実施形態＞
図１及び図２に、平面状に設置された状態の本発明の第１実施形態の粘着捕獲具１を示す。図１、図２（ａ）〜（ｃ）は、それぞれ、粘着捕獲具１の斜視図、背面図、平面図及び正面図である。
【００１３】
本実施形態の粘着捕獲具１は、基本的に、矩形の基板１２の上面に粘着剤層１３が設けられ、該基板１２の長辺部分の両側に弾性体９ａ，９ｂが取り付けられている構造を有するものである。
【００１４】
基板１２は、長辺方向に対して垂直な２本の平行な折り目１４ａ，１４ｂによって形成されたヒンジ部１７によって、２つの捕獲面（左側面部１５、右側面部１６）に分けられている。
【００１５】
折り目１４ａ，１４ｂは、例えば図３に示すように、基板１２が、粘着剤層１３を内側として二つ折りとなる方向に曲がるように形成されている。また、図３に示すように形成された折り目１４ａ，１４ｂは、二つ折りとなる方向には自由に曲がるものの、それとは逆方向には、ほとんど曲がらないようになっている。
【００１６】
基板１２において、左側面部１５及び右側面部１６の外縁部分の上面には、枠部材２５ａ〜２５ｃ，２６ａ〜２６ｃが積層されている。
これらの枠部材２５，２６により、該基板１２の強度が補強されている。また、これらの枠部材２５，２６と、左側面部１５及び右側面部１６の上面中央部分に取り付けられている円形のスペーサー２７ａ，２７ｂとによって、持ち運びの際など、二つ折りの閉じた状態の場合に、左側面部１５及び右側面部１６の粘着剤層同士が接着してしまうのが防止されるようになっている。
【００１７】
基板１２の長辺の一方の側（下辺１２ａ）の左側面部１５と右側面部１６の部分には、それぞれ、下辺１２ａから外側に突出した形状の弾性体係合部１０ａ，１０ｂが設けられている。同様に、基板１２の長辺の他方の側（上辺１２ｂ）の左側面部１５と右側面部１６の部分にも、それぞれ、下辺１２ｂから外側に突出した形状の弾性体係合部１０ｃ，１０ｄが設けられている。
弾性体係合部１０ａと１０ｂは、ヒンジ部１７からの距離がほぼ等距離になるように、下辺１２ａの末端に近い位置に設けられている。同様に、弾性体係合部１０ｃと１０ｄは、ヒンジ部１７からの距離がほぼ等距離になるように、上辺１２ａの末端に近い位置に設けられている。
弾性体係合部１０ａ〜１０ｄには、それぞれ、円形の孔と、該孔に弾性体を係合するための切り込みとが形成されている。
【００１８】
図１、２中、基板１２上の点Ｘは、左側面部１５の下辺１２ａ側の外周とヒンジ部１７との交点（交点Ｘ）である。点Ｙは、右側面部１６の下辺１２ａ側の外周とヒンジ部１７との交点（交点Ｙ）である。点Ｚは、左側面部１５の上辺１２ｂ側の外周とヒンジ部１７との交点（交点Ｚ）である。点Ｗは、右側面部１６の上辺１２ｂ側の外周とヒンジ部１７との交点（交点Ｗ）である。
弾性体係合部１０ａと弾性体係合部１０ｂとは、環状の弾性体９ａで連絡されており、弾性体９ａは、下辺１２ａ上の交点Ｘ及び交点Ｙよりも外側を通っている。
同様に、弾性体係合部１０ｃと弾性体係合部１０ｄとは、環状の弾性体９ｂで連絡されており、弾性体９ｂは、上辺１２ｂ上の交点Ｚ及び交点Ｗよりも外側を通っている。
そのため、基板１２が二つ折り状態になる際に、弾性体９ａ，９ｂが、基板１２が二つ折りになるのを妨げることがない。
【００１９】
本実施携帯の粘着捕獲具１は、上記構成を有することにより、小動物が粘着剤層に接触した際に反応しやすいものとなっている。つまり、通常時は、弾性体９ａ，９ｂによりバランスが取られていることなどから平面状態が維持されている一方で、ネズミ等の小動物がその上を通過すると、その際のわずかな刺激によっても、そのバランスが崩れ、基板１２が素早く二つ折り状態となる。そのため、高い捕獲率を達成することができる。
【００２０】
さらに、本実施形態においては、ヒンジ部１７の下辺１２ａ側に、下辺１２ａから突出した形状の突起２８が設けられている。
これにより、例えば粘着捕獲具１を、図１に示すように平面状にで設置する際に、弾性体９ａが基板１２の上面と同一平面上を通るようになるので、さらにバランスが崩れやすくなり、反応性が高まる。
【００２１】
本実施形態において、弾性体係合部１０ａ〜１０ｄ、枠部材２５ａ〜２５ｃ，２６ａ〜２６ｃ、及びヒンジ部１７の突起２８は、基板１２と一体的に形成されている。
【００２２】
基板１２の材料としては、段ボール、厚板紙、プラスチックなど比較的硬質の板材等の材料を用いることができる。特に、厚板紙は安価であり、加工しやすいので好ましく用いられる。また、台所などの水を使用する場所で用いられる場合には、耐水性を有する材料であることが好ましい。
基板１２の大きさは、特に制限はなく、捕獲しようとする小動物の大きさに応じて適宜決定すればよい。例えばネズミを捕獲しようとする場合であれば、（長辺）３３〜３５ｃｍ×（短辺）１８〜２０ｃｍ程度とすればよい。
基板１２及び枠部材２５，２６の厚さは、特に制限はないが、これらの厚さが厚いほど誤作動しにくくなるので、例えば、基板１２及び枠部材２５，２６の厚さが、あわせて約４ｍｍ以上であることが好ましい。
【００２３】
粘着剤層１３は、基板１２上に粘着剤を塗布することによって形成することができる。粘着剤としては、一般にネズミ等の小動物の捕獲用に用いられている任意の粘着剤、例えばポリブテン系粘着剤などが使用可能である。また、粘着剤と、一般にネズミ等の小動物の捕獲用に用いられている任意の誘引剤を併用して用いてもよい。
【００２４】
弾性体９ａ、９ｂとしては、輪ゴム、糸状、帯状等のゴム紐等のゴム部材、引きバネ等のバネ部材などを用いることができる。基板１２が二つ折りになることを妨げないよう、十分な可とう性を有するものが好ましい。
なお、本実施形態では、弾性体９ａ、９ｂとして、輪ゴムを用いている。
【００２５】
弾性体係合部１０ａ〜１０ｄの材料としては、弾性体９ａ、９ｂによって加えられる力に対して耐久性を有するものであれば特に制限はなく、上述のように、基板１２と同じ材質で、基板１２と一体的に形成したものであってよい。また、例えば、針金などを、環状や、フック状にして用いることもできる。
【００２６】
本実施形態において、この粘着捕獲具１１は、例えば、図１に示すように、ネズミなどの小動物が出没する地域に粘着剤層１３を上向きにして、平らな状態で配置される。この上を小動物が通過し、その足などに粘着剤層１３が粘着すると、その粘着力が比較的小さくても、弾性体９ａ、９ｂにかかる力のバランスが崩れ、基板１２が粘着剤層１３を内側にして、素早く二つ折り状態となる。その結果、小動物の体の上下、例えば腹部と背中とが、粘着剤層１３によって迅速に挟み込まれるので、小動物が脱出することは非常に困難であり、確実に捕獲することができる。
【００２７】
図４及び図５は、上述した粘着捕獲具１を、基板１２を、ヒンジ部１７を頂辺とする山型の状態で設置した例を示したものである。図４、図５は、それぞれ、粘着捕獲具１１の斜視図、正面図である。
ここでは、折り目１４ａ，１４ｂが、上述したように、粘着剤層１３を内側として二つ折りとなる方向と逆方向にはほとんど曲がらないように形成されている（図３参照）ことと、弾性体９ａ、９ｂが装着されていることによって、粘着捕獲具１が、基板１２の短辺側の末端以外の部分が設置面から浮いている状態で維持されている。
このとき、弾性体９ａの中心部は、図５（ａ）に示すように、突起２８により、基板１２の上面と同一平面上を通るようになっている。その一方、弾性体９ｂの中心部は、基板１２の下面よりも下方に位置している。
【００２８】
このように設置した場合、小動物が粘着捕獲具１の上を通過すると、基板１２は、図４、図５（ａ）中矢印で示した方向に力が加わり、山型の状態から、平面状態すなわち図１の状態に変化する。この変化が急激なため、粘着捕獲具１は、図５（ｂ）に示すように、そのまま二つ折り状態へと変化する。
【００２９】
＜第２実施形態＞
以下、図６に基づいて、本発明に係る粘着捕獲具の第２実施形態を説明する。
なお、以下に記載する実施形態において、図１〜５に示した第１実施形態に対応する構成要素には、同一の符号を付してその詳細な説明を省略する。
図６及び図７に、第２実施形態の、平面状に設置された状態の粘着捕獲具１１を示す。図６、図７（ａ）〜（ｃ）は、それぞれ、粘着捕獲具１１の斜視図、背面図、平面図及び正面図である。
本実施形態の粘着捕獲具１１は、弾性体及び弾性体係合部の形状において、第１実施形態と異なっている。
【００３０】
本実施形態において、左側面部１５及び右側面部１６の下辺１２ａ側における弾性体係合部１８ａ，１８ｂは、下辺１２ａの外縁から内側に、ヒンジ部１７方向に斜めに切り込んだ形状で設けられている。
【００３１】
弾性体係合部１８ａ，１８ｂ同士は、８の字状のゴム部材１９により連絡されている。ゴム部材１９の、ヒンジ部１７に隣接する部分には、接合部（結び目）１９ａが設けられており、これにより、ゴム部材１９は、第１実施形態における弾性体９ａと同様、下辺１２ａ上の交点Ｘ及び交点Ｙよりも外側を通るようになっている。
【００３２】
また、８の字状のゴム部材１９が、下辺１２ａの外縁から内側に切り込んだ弾性体係合部１８ａ，１８ｂに掛けられ、接合部１９ａがヒンジ部１７に隣接する部分に位置しているていることにより、接合部１９ａには、４つの方向、すなわち、図７（ｃ）に示すように、ゴム部材１９の４つの位置（枠部材２５ａの上端、左側面部１５の下端、枠部材２６ａの上端及び右側面部１６の下端の外縁部分との接点）Ａ〜Ｄとの間に力がかかるようになっている。
このような構成とすることにより、基板１２の平面状態が安定的に維持される。これは、例えば、単純に２点間をゴム部材で連結した場合には、同一直線上の２方向にしか力がかからないので、わずかな振動によってもバランスが崩れやすく、誤作動して二つ折り状態になってしまいやすいが、上記構成においては、同一直線上ではない４つの方向に力がかかってバランスが取られている状態なので、外部からかかる力が一定レベル以下であればその力が緩衝され、バランスが維持されるためと考えられる。
また、接合部１９ａが設けられていることにより、基板１２が二つ折りになるのを、ゴム部材１９が妨げることがない。つまり、弾性体係合部１８ａ，１８ｂが下辺１２ａの外縁より内側に切れ込んでいるので、もし、単に環状の輪ゴムを引っかけただけの場合であれば、基板１２が二つ折り状態になる際、弾性体係合部１８ａ，１８ｂ間の、基板１２の下面を通っているゴム部材によって基板１２が二つ折りになるのが妨げられてしまう。しかしながら、接合部１９ａが設けられているため、ゴム部材１９が基板１２の下面を通らず、ヒンジ部１７に隣接する位置にくるようになっており、作動不良が起こりにくくなっている。
【００３３】
弾性体係合部１８ａ，１８ｂのサイズ（長さと幅）は、係合させたゴム部材１９がはずれない程度であれば特に制限はなく、ゴム部材１９の幅や厚さに応じて適宜決定すればよい。また、ゴム部材１９を、下辺１２ａの外縁より内側に、はずれないように係止できるものであれば、切り込みの形状にも特に限定はなく、例えば曲線状や、最も内側部分が円形に切り抜かれた形状であってもよい。
【００３４】
８の字状のゴム部材１９としては、２つの輪ゴムを一カ所で結んだものや、１つの輪ゴムや１本のゴムひもを結んで８の字状にしたものを用いることができる。
【００３５】
一方、上辺１２ｂの、左側面部１５と右側面部１６の部分には、それぞれ、上辺１２ｂの外縁より突出する弾性体係合部２０ａ，２０ｂが設けられており、該弾性体係合部２０ａ，２０ｂ同士は、弾性体２１により連絡されている。弾性体９ｂは、上辺１２ｂ上の交点Ｚ及び交点Ｗよりも外側を通っている。なお、本実施形態では、弾性体２１としてゴム部材１９と同様のものを用いている。
【００３６】
図８は、上述した粘着捕獲具１１を、基板１２を、ヒンジ部１７を頂辺とする山型の状態で設置した例を斜視図で示したものである。
山型の状態においては、ゴム部材１９の接合部１９ａは、基板１２の下方に位置している。小動物が粘着捕獲具１１の上を通過すると、基板１２は、山型の状態から平面状態すなわち図６の状態に変化し、そのまま二つ折り状態へと変化する。
基板１２が二つ折り状態へと変化する際、接合部１９ａは、図８中矢印で示したように、基板１２の下方から、ヒンジ部１７の外縁の外側を通って、基板１２の上方へと移動する。
【００３７】
＜第３実施形態＞
次に、図９に基づいて、本発明に係る粘着捕獲具の第３実施形態を説明する。
図９に示す粘着捕獲具１１は、基板１２の左側面部１５と右側面部１６の下面側に脚部３５，３６が設けられている点で上述した第２実施形態の粘着捕獲具１１と異なっている。
脚部３５，３６が設けられていることによって、基板１２を、ヒンジ部１７を床面から浮かせた状態で設置できる。また、脚部３５，３６間に小動物が接触した際には、脚部３５，３６がてこの支点として働き、基板１２が、ヒンジ部１７を底辺とする谷型に変形するため、より二つ折り状態になりやすくなっている。
【００３８】
脚部３５，３６を設ける位置としては、特に制限はないが、基板の短辺の外縁部分に近いほど、脚部３５，３６間の距離が広くなり、小動物が接触した際に二つ折り状態へ変化可能な捕獲面の面積が増える。そのため、基板１２の長辺方向の長さをＬとした場合、短辺の外縁からの距離が１／４×Ｌの範囲内に脚部を設けることが好ましい。
【００３９】
脚部３５，３６の形状は、特に制限はなく、棒状、球状、円錐状、楔状等の任意の形状であってよいが、てこの支点として働くことを考慮すると、設置面との接触面積が小さくなる形状が好ましい。基板１２と同じ材料で折り曲げることにより脚部３５，３６を形成してもよい。
なお、ここでは、２カ所の脚部３５，３６を設けたが、脚部はどちらか一方のみであってもよい。
【００４０】
＜第４実施形態＞
次に、図１０に基づいて、本発明に係る粘着捕獲具の第４実施形態を説明する。
図１０に示す粘着捕獲具４１は、粘着剤層１３が設けられた方形の基板４２は、２本の平行な折り目４３ａ，４３ｂによって形成されたヒンジ部４４と、２本の平行な折り目４５ａ，４５ｂによって形成されたヒンジ部４６とによって、４つの捕獲面（左上面部４７、左下面部４８、右上面部４９、右下面部５０）に分けられている。各捕獲面４７〜５０の中央部には、スペーサー５１ａ〜５１ｄが設けられている。
【００４１】
また、基板４２の左辺４２ａ、すなわち、基板４２の左上面部４７及び左下面部４８側の外縁部には、第１実施形態と同様の形状の弾性体係合部５２ａ，５２ｂが取り付けられており、弾性体係合部５２ａ，５２ｂ同士は、弾性体５３ａで連絡されている。
また、基板４２の下辺４２ｂ、すなわち、基板４２の左下面部４８及び右下面部５０側の外縁部には、第１実施形態と同様の形状の弾性体係合部５２ｃ，５２ｄが取り付けられており、弾性体係合部５２ｃ，５２ｄ同士は、弾性体５３ｂで連絡されている。
【００４２】
図１０中、基板４２上の点Ｊは、左上面部４７の左辺４２ａ側の外周とヒンジ部４４との交点（交点Ｊ）である。点Ｋは、左下面部４８の左辺４２ａ側の外周とヒンジ部４４との交点（交点Ｋ）である。点Ｌは、左下面部４８の下辺４２ｂ側の外周とヒンジ部４６との交点（交点Ｌ）である。点Ｍは、右下面部５０の下辺４２ｂ側の外周とヒンジ部４６との交点（交点Ｍ）である。
弾性体５３ａは、左辺４２ａ上の交点Ｊ及び交点Ｋよりも外側を通っており、弾性体５３ｂは、下辺４２ｂ上の交点Ｌ及び交点Ｍよりも外側を通っている。
【００４３】
また、ヒンジ部４４の左辺側、及びヒンジ部４６の下辺側には、それぞれ、突出した形状の突起５４、５５が設けられている。
【００４４】
本実施形態においては、基板４２の隣り合う２辺に弾性体５３ａ，５３ｂが取り付けられていることにより、縦と横の２つの方向に二つ折りに変化できる。
【００４５】
＜第５実施形態＞
次に、図１１に基づいて、本発明に係る粘着捕獲具の第５実施形態を説明する。
図１１に示す粘着捕獲具６１の基板６２は、６角形の２つの捕獲面（左側面部６３、右側面部６４）が、該６角形の１辺で、ヒンジ部である折り目６５で連結された形状である。左側面部６３、右側面部６４の中央部には、それぞれ、スペーサー６６ａ、６６ｂが設けられている。
【００４６】
また、左側面部６３の上端部、右側面部６４の上端部、左側面部６３の下端部、右側面部６４の下端部には、それぞれ、弾性体係合部として、孔６５ａ、６５ｂ、６５ｃ、６５ｄが形成されており、孔６５ａと孔６５ｂ、及び孔６５ｃと孔６５ｄは、それぞれ、弾性体６６ａ、６６ｂで連絡されている。
【００４７】
図１１中、基板６２上の点Ｐ、Ｑは、それぞれ、左側面部６３及び右側面部６４の外周と折り目６５との交点である。
弾性体６６ａは交点Ｐよりも外側を通っており、弾性体６６ｂは交点Ｑよりも外側を通っている。
【００４８】
なお、以上説明した第１、第２、第３、第５実施形態の粘着捕獲具は、基板の両側に弾性体係合部及び弾性体が設けられているものであるが、本発明はこれに限定されず、例えば、基板の片側のみに弾性体係合部及び弾性体が設けられ、他方には、弾性体係合部及び弾性体が設けられていないものであってもよい。
【図面の簡単な説明】
【００４９】
【図１】本発明の第１実施形態の粘着捕獲具を示す斜視図である。
【図２】図１に示した粘着捕獲具の（ａ）背面図、（ｂ）平面図及び（ｃ）正面図である。
【図３】粘着捕獲具の折り目の一例を示す図である。
【図４】図１に示した粘着捕獲具の別の設置例を示す図である。
【図５】図３に示した粘着捕獲具の正面図である。（ａ）は設置した状態を示し、（ｂ）は二つ折り状態に変化しようとする状態を示す。
【図６】本発明の第２実施形態の粘着捕獲具を示す斜視図である。
【図７】図６に示した粘着捕獲具の（ａ）背面図、（ｂ）平面図及び（ｃ）正面図である。
【図８】図６に示した粘着捕獲具の別の設置例を示す図である。
【図９】本発明の第３実施形態の粘着捕獲具を示す正面図である。（ａ）は設置した状態を示し、（ｂ）は二つ折り状態に変化しようとする状態を示す。
【図１０】本発明の第４実施形態の粘着捕獲具を示す平面図である。
【図１１】本発明の第５実施形態の粘着捕獲具を示す平面図である。
【符号の説明】
【００５０】
１…粘着捕獲具、９ａ，９ｂ…弾性体、１０ａ〜１０ｄ…弾性体係合部、１１…粘着捕獲具、１２…基板、１３…粘着剤層、１４ａ，１４ｂ…折り目、１５…左側面部、１６…右側面部、１７…ヒンジ部、１８ａ，１８ｂ…弾性体係合部、１９…ゴム部材、２０ａ，２０ｂ…弾性体係合部、２１…弾性体、２５ａ〜２５ｃ，２６ａ〜２６ｃ…枠部材、２７ａ，２７ｂ…スペーサー、２８…突起、３５，３６…脚部、４１…粘着捕獲具、４２…基板、４３ａ，４３ｂ…折り目、４４…ヒンジ部、４５ａ，４５ｂ…折り目、４６…ヒンジ部、４７…左上面部、４８…左下面部、４９…右上面部、５０…右下面部、５１ａ〜５１ｄ…スペーサー、５２ａ〜５２ｄ…弾性体係合部、５３ａ、５３ｂ…弾性体、５４、５５…突起、６１粘着捕獲具、６２…基板、６３…左側面部、６４…右側面部、６５…折り目、６６ａ、６６ｂ…スペーサー、６５ａ〜６５ｄ…孔、６６ａ、６６ｂ…弾性体
【図１】
2004147644.tif 000003
【図２】
2004147644.tif 000004
【図３】
2004147644.tif 000005
【図４】
2004147644.tif 000006
【図５】
2004147644.tif 000007
【図６】
2004147644.tif 000008
【図７】
2004147644.tif 000009
【図８】
2004147644.tif 000010
【図９】
2004147644.tif 000011
【図１０】
2004147644.tif 000012
【図１１】
2004147644.tif 000013